(57)【要約】【課題】強力な美的効果を有する革新的な機械式のチャイム装置を備えた時計を製造する。【解決手段】時計は、チャイム装置を備えており、チャイム装置は、少なくとも第１の部分（２）と協働するように仕向けられているラック（１）と呼ばれる少なくとも１つの回転する歯付きセクタを含んで構成されており、前記少なくとも第１の部分（２）は、少なくとも１つのハンマー（４）を作動させるための偏心（４１）と協働するピン（３２）に固定されている第２の部分（３）を駆動するものであり、前記ハンマー（４）は、ゴング（５）の平面Ａを横切る平面Ｂに沿って変位されることによって、平面Ａ内に実質的に延在しているゴングを鳴らす。【選択図】図１
2016522397.tif 000002
【特許請求の範囲】
【請求項１】
チャイム装置を備えた時計であって、チャイム装置は、少なくとも第１の部分（２）と協働するように仕向けられているラック（１）と呼ばれる少なくとも１つの回転する歯付きセクタを含んで構成されており、前記少なくとも第１の部分（２）は、少なくとも１つのハンマー（４）を作動させるための第３の部分（４１）と協働するピン（３２）に固定されている第２の部分（３）を駆動するものであり、前記ハンマー（４）は、ゴング（５）の平面Ａを横切る平面Ｂに沿って移動されることによって、平面Ａ内に実質的に延在しているゴングを鳴らすことを特徴とするチャイム装置を備えた時計。
【請求項２】
前記ラック（１）は、第１および第２の歯のセットを含む１／４時ラックであることを特徴とする請求項１記載のチャイム装置を備えた時計。
【請求項３】
前記第１の部分（２）は、１／４時チャイム収集パレットと呼ばれる部分であることを特徴とする請求項１または２に記載のチャイム装置を備えた時計。
【請求項４】
前記第２の部分（３）に固定される別のピン（３１）は、前記１／４時チャイム収集パレット（２）によって駆動されることを特徴とする請求項３に記載のチャイム装置を備えた時計。
【請求項５】
前記第２の部分（３）は、逆転パレットと呼ばれる部分であることを特徴とする請求項４に記載のチャイム装置を備えた時計。
【請求項６】
前記１／４時チャイム収集パレット（２）と前記逆転パレット（３）は、同軸であることを特徴とする請求項５に記載のチャイム装置を備えた時計。
【請求項７】
前記ハンマー（４）は、前記ゴング（５）の平面Ａに対して垂直な方向となる方向に沿って変位することによって、ゴング（５）を鳴らすことを特徴とする請求項１から６のいずれか一項に記載のチャイム装置を備えた時計。
【請求項８】
前記ハンマー（４）は、ステム（７）から構成されており、前記ハンマー（４）は、前記ステム（７）の自由端に位置しているか、または前記ステム（７）の長さの中間点に位置している回転軸に応じて、回転することを特徴とする請求項１から７のいずれか一項に記載のチャイム装置を備えた時計。
【請求項９】
一つのハンマー（４）を備えていることを特徴とする請求項１から８のいずれか一項に記載のチャイム装置を備えた時計。
【請求項１０】
少なくとも２つのハンマー（４）が、互いに平行に配置されていることを特徴とする請求項１から９のいずれか一項に記載のチャイム装置を備えた時計。
【請求項１１】
少なくとも２つのハンマー（４）が、前記時計の幾何学的中心の周りに半径方向に沿って分布していることを特徴とする請求項１から７のいずれか一項に記載のチャイム装置を備えた時計。
【請求項１２】
多数のゴング（５）が、前記時計の周囲に配置されており、互いに半径方向に離間しており、前記各ゴング５は、このゴング（５）まで延在するハンマー（４）に対応していることを特徴とする請求項１から１１のいずれか一項に記載のチャイム装置を備えた時計。
【発明の詳細な説明】
【技術分野】
【０００１】
本発明は、機械式のチャイム装置を備えた時計に関する。
【背景技術】
【０００２】
機械式の時計のためにミニッツリピートのチャイム機構が技術的に知られている。特に、標準的な時計では、2つの異なる音によって現在の１／４時を鳴らすためのムーブメントとチャイム機構を含むことが注目に値する。
【０００３】
チャイム機構は、エネルギー源と、現在の１／４時についての情報を提供するための、ムーブメントによって駆動される渦形カムと、現在の１／４時についての情報を収集するためのこの渦形カムと協働するためのフィーラースピンドルであって、第１および第２のゴングを個別に鳴らすように仕向けられている第１および第２のハンマーを個別に作動させるための第１および第２のパレットと含んで構成されている。
【０００４】
この従来例では、ハンマーは、特に、時計の厚さを考慮して、スペースの増大のために、ゴングの平面と平行な面内で回転する。
【０００５】
EP2290479では、チャイム装置を備えた時計を開示しており、チャイム装置は、ムーブメントを囲っており、平面内に実質的に延在しているバーを有するゴングと、時計のフレームに固定されたゴングキャリアと、ゴングキャリアに固定されたゴングと、少なくともゴングの振動を生成するようにゴングを鳴らすためのハンマーとを含んでおり、ハンマーが、前記平面に対して水平な平面に対して傾斜しているゴングの衝突面に到来し鳴らすように配置されていることを特徴としている。
【０００６】
本発明に反して、インパクト方向、つまりハンマーの運動の方向は、ゴングの前記平面に対して平行となっている。
【発明の概要】
【発明が解決しようとする課題】
【０００７】
本発明の目的は、強力な美的効果を有する革新的な機械式のチャイム装置を備えた時計を製造することである。
【課題を解決するための手段】
【０００８】
本発明によれば、時計は、少なくとも第１の部分と協働するように仕向けられている少なくとも１つのラックを含むチャイム装置を含んで構成されており、前記少なくとも第１の部分は、第３の部分と協働するピンに固定されている第２の部分を駆動するものであり、前記第３の部分は、少なくとも１つのハマーを作動させるために、ハンマーに固定されており、前記ハンマーは、ゴングの平面Ａとは異なる平面Ｂに沿って移動されることによって、平面Ａで実質的に延在しているゴングを鳴らすものである。
【０００９】
このようなチャイム装置は、たとえば時間のためのチャイム作業、分のためのチャイム作業、１／４時のためのチャイム作業のような任意の形式のチャイム作業に使用することができ、考えられるいかなるもの（ついでの、要求に応じたチャイム作業）あるいはメロディのためにも使用することができる。
【００１０】
本発明の特徴は、決して限定的ではない概略図を参照して、ほんの一例として与えられたいくつかの実施形態を読むことで、より明確に説明されるであろう。
【図面の簡単な説明】
【００１１】
【図１】図１は、本発明によるチャイム装置の要部の斜視図である。
【図２】図２は、逆転パレットをもってくる１／４時チャイム収集パレットを駆動する１／４時ラックの斜視図である。
【図３】図３は、１／４時チャイム収集パレットと逆転パレットの上面図である。
【図４】図４は、偏心の手段によってハンマーを駆動するピンの上面図である。
【図５】図５は、本発明のゴングを鳴らすハンマーの斜視図である。
【図６】図６は、互いに平行に配置された2つのハンマーを含む腕時計の斜視図である。
【図７】図７は、いくつかのハンマーを含む腕時計の斜視図である。
【図８】図８は、腕時計の円周上に配置されたいくつかのゴングを鳴らすように到来するいくつかのハンマーを含む腕時計の部分正面図である。
【発明を実施するための形態】
【００１２】
以下の説明は、１／４時を鳴らすためのチャイム機構に関連し、それは、実施例として与えられ、本発明をサポートするために機能する。
【００１３】
図１に示す本発明の実施形態によれば、腕時計は、１／４時ラック１と、１／４時チャイム収集パレット２と、逆転パレット３と、ハンマー４と、ゴング５とを含チャイム装置を含んで構成されている。
【００１４】
以下の説明では、ゴング５の平面は、平面Ａと呼ばれ、ハンマー４が変位される平面は、平面Bと呼ばれるであろう。
【００１５】
図２に示すように、少なくとも一つの回転するラック１は、１／４時チャイム収集パレットと呼ばれる少なくとも１つの第1の部分２と協働するように仕向けられている。
【００１６】
１／４時チャイム収集パレット２は、逆転パレットと呼ばれる第２の部分３を駆動するものであり、第２の部分３は、第３の部分４１と協働するピン３２に固定されており、第３の部分４１は、ハンマー４に固定されており、少なくとも１つのハンマー４を作動させるものである（図４）。図４に示すように、この第３の部分４１は、たとえばピンまたは偏心とすることができる。
【００１７】
ハンマー４は、ゴング５の平面Ａを横切る平面Ｂに沿って変位されることにより、平面A内に実質的に延在しているゴング５を鳴らす。
【００１８】
図３で、特に、視覚的に示すように、ラック１は、３つの歯の第１及び第２のセットを含む１／４時ラックである。
【００１９】
本実施形態によれば、１／４時チャイム収集パレット２と逆転パレット３は、同軸となっている（図３）。
【００２０】
ハンマー４は、変位することによって、好ましくは、前記ゴング５の平面Ａに対して垂直方向となる方向に、変位することによって、ゴング５を鳴らす（図５）。
【００２１】
変形例では、ハンマー４が、前記ゴング５の平面Ａに対して横切る、主として斜めとなる平面Ｂに沿って、変位することによって、ゴング５を鳴らす
【００２２】
図６に示されるように、腕時計は、互いに平行に配置された２つのハンマー４を含んでおり、各ハンマー４は、垂直に到来して、非常に明確にゴングを鳴らす。２つのゴングは同じ長さであるが、変形例では、２つのゴングを違う長さにすることができ、一つまたはいくつかのゴングキャリア６に固定することができる。
【００２３】
図７に示される別の実施形態では、いくつかのハンマー４は、時計の幾何学的中心の周りに半径方向に沿って分布している。この実施形態では、例えば４つのゴング５を鳴らすように、垂直方向に到来する４つのハンマー４に分けられている。４つのゴング５は、同一のゴングキャリア６に、それらの端部の一方が固定されている。反対に図６では、各ゴング５が、異なるゴングキャリア６に、その端部の一方によって固定されている。
【００２４】
図８に示される実施形態では、多数のゴング５が時計の周囲に配置されており、互いに半径方向に離間している。各ゴング５は、このゴング５まで延在するハンマー４に対応している。ハンマー４は、同じ長さであってもよく、また図示の例の場合のように異なる長さであってもよい。
【００２５】
単純な変形例は、１つのハンマー４が、１つのゴング５を鳴らすであろうチャイム装置を備えた腕時計を提供するものである。
【００２６】
各ハンマー４は、ステム７から構成されており、ハンマー４は、図５に、一例として図示されているように、ステム７の自由端に位置しているか、またはステム７の長さの中間点に位置している回転軸に応じて、回転する。
【００２７】
今まで作成された説明に基づいて、ハンマー４が設けられた時計のチャイム機構のいくつかの変形例を、考えることができる。たとえば、ハンマー４が鳴らすゴング５の平面とは異なる平面に応じてハンマー４を変位させることができる。
【図２】
2016522397.tif 000003
【図３】
2016522397.tif 000004
【図４】
2016522397.tif 000005
【図５】
2016522397.tif 000006
【図６】
2016522397.tif 000007
【図７】
2016522397.tif 000008
【図８】
2016522397.tif 000009
【図１】
2016522397.tif 000010
【国際調査報告】
2016522397.tif 000011
2016522397.tif 000012
2016522397.tif 000013
2016522397.tif 000014
2016522397.tif 000015
2016522397.tif 000016